(57)【要約】      （修正有）【課題】レザー製又は樹脂製時計バンドの剣先側バンドを確実にバックルへ固定・調整できるプッシュ式三折バックルを提供する。【解決手段】プッシュ式三折バックルは、上箱３０がバンド挿通パーツ４０とバンド固定パーツ５０からなる。バンド挿通パーツ４０は、プッシュ機構３１を備えるとともに、剣先側バンド８０を挿通する挿通空間４３を備える。また、バンド固定パーツ５０は、バンド挿通パーツ４０の挿通空間４３に挿通された剣先側バンド８０の止孔８１へバンド裏面８２側から差し込む突起部５２を備える。そして、バンド挿通パーツ４０とバンド固定パーツ５０が軸部材３２によって回動自在に取り付けられている。【選択図】図１
0003145248.tif 000002
【実用新案登録請求の範囲】
【請求項１】
レザー製又は樹脂製時計バンドに用いられるプッシュ式三折バックルであって、
中板の反下板側端部と回動自在に取り付けられる上箱がバンド挿通パーツとバンド固定パーツからなり、
バンド挿通パーツは、プッシュ機構を備えるとともに剣先側バンドを挿通する挿通空間を備え、
バンド固定パーツは、中板との取付部を備えるとともに上パーツの挿通空間に挿通された剣先側バンドの止孔へバンド裏面側から差し込む突起部を備えながら、バンド挿通パーツとバンド固定パーツが回動自在に取り付けられていることを特徴とするレザー製又は樹脂製時計バンド用プッシュ式三折バックル。
【請求項２】
バンド挿通パーツの挿通空間は、略コ字形のパーツ本体とこのパーツ本体の垂下部を架橋するように設けられるプッシュ機構との間に形成される間隙であることを特徴とする請求項１記載のレザー製又は樹脂製時計バンド用プッシュ式三折バックル。
【請求項３】
バンド挿通パーツとバンド固定パーツの当接部位に係合機能を備えたことを特徴とする請求項１又は２記載のレザー製又は樹脂製時計バンド用プッシュ式三折バックル。
【請求項４】
請求項１，２又は３記載のレザー製又は樹脂製時計バンド用プッシュ式三折バックルを備えた時計バンド。
【考案の詳細な説明】
【技術分野】
【０００１】
本願考案は、レザー製又は樹脂製時計バンドに用いられるプッシュ式三折バックルに関するものである。
【背景技術】
【０００２】
従来、レザー製又は樹脂製時計バンドに用いられるプッシュ式三折バックルとしては、特許文献１に開示されたものがある。
特許文献１は、図２に示すように、上箱１の側壁３に切欠部４を設け、該切欠部４にばね張りしたプッシュ部５を臨ませ、該上箱１に二つ折れ中留を連結し、該中留の下板８を幾分そり曲げる強化構造にして手首廻りになじみよく当たる薄型にて形成し、該下板８の中間上に前記プッシュ部５の開閉止孔に掛脱する掛止用ボッチ９のほか、皮バンド、ウレタンバンドの一端を裏側に挿し通しする通し孔１１と該バンドの並列止孔１３を選択して刺し止めするボッチ１２とからなるバンド長を調整するアジャスト機構を設けたことを特徴とする皮バンド、ウレタンバンド用のプッシュ式中留技術が開示されている。
【０００３】
【特許文献１】実用新案登録第３０６１１９１号公報
【考案の開示】
【考案が解決しようとする課題】
【０００４】
これに対して、本願考案者は、特許文献１を含む従来にない新規な構造でレザー製（又は樹脂製）時計バンドに用いられるプッシュ式三折バックルを提供すべく、本願考案を完成するに至った。
【課題を解決するための手段】
【０００５】
上記目的を達成するために、第１の考案は、レザー製又は樹脂製時計バンドに用いられるプッシュ式三折バックルであって、
中板の反下板側端部と回動自在に取り付けられる上箱がバンド挿通パーツとバンド固定パーツからなり、バンド挿通パーツは、プッシュ機構を備えるとともに剣先側バンドを挿通する挿通空間を備え、バンド固定パーツは、中板との取付部を備えるとともにバンド挿通パーツの挿通空間に挿通された剣先側バンドの止孔へバンド裏面側から差し込む突起部を備えながら、バンド挿通パーツとバンド固定パーツが回動自在に取り付けられていることを特徴とするものである。
第２の考案は、バンド挿通パーツの挿通空間は、略コ字形のパーツ本体とこのパーツ本体の垂下部を架橋するように設けられるプッシュ機構との間に形成される間隙であることを特徴とするレザー製又は樹脂製時計バンド用プッシュ式三折バックルである。
第３の考案は、バンド挿通パーツとバンド固定パーツの当接部位に係合機能（凹凸部）を備えたことを特徴とするレザー製又は樹脂製時計バンド用プッシュ式三折バックルである。
第４の考案は、前記第１の考案から第３の考案に係るレザー製又は樹脂製時計バンド用プッシュ式三折バックルを備えた時計バンドである。
【考案の効果】
【０００６】
本願考案によれば、以下のような効果を有する。
上箱に剣先バンドを挿通する挿通空間を備えるとともに、挿通された剣先バンドの止孔へ差し込む突起部を備えることで、レザー製又は樹脂製時計バンドの剣先側バンドを確実にバックルへ固定・調整でき、レザー製又は樹脂製時計バンド用をプッシュ式三折バックルに使用することができる。
【考案を実施するための最良の形態】
【０００７】
本願考案の実施形態を図面に基づいて説明する。
図１は、本願考案に係るプッシュ式三折バックルの分解斜視図である。
プッシュ式三折バックル２０は、中板６０の反下板側の端部６１と回動自在に取り付けられる上箱３０がバンド挿通パーツ４０とバンド固定パーツ５０からなっている。
【０００８】
バンド挿通パーツ４０は、プッシュ機構３１を備えるとともに、剣先側バンド（腕時計の６時側につくバンド）８０を挿通する挿通空間４３を備える。挿通空間４３は、略コ字形のパーツ本体４１とこのパーツ本体４１の垂下部４２，４２を架橋するように設けられるプッシュ機構３１との間の間隙によって形成される。
【０００９】
また、バンド固定パーツ５０は、中板６０との取付部５１を備えるとともに、バンド挿通パーツ４０の挿通空間４３に挿通された剣先側バンド８０の止孔８１へバンド裏面８２側から差し込む突起部５２を備える。なお、バンド固定パーツ５０には、下板７０に設けられた係合突起７１をプッシュ機構３１に挿脱するための穿孔５３を備えている。
【００１０】
そして、上記したバンド挿通パーツ４０とバンド固定パーツ５０が軸部材３２によって回動自在に取り付けられている。
ここで、バンド挿通パーツ４０とバンド固定パーツ５０の当接する部位には、凸部４４，４４と凹部５４，５４からなる係合機能を有し、バンド挿通パーツ４０とバンド固定パーツ５０の閉塞時の結合状態を確実にする。
なお、符号８５は美錠側バンド（腕時計の６時側につくバンド）であって、下板７０の取付部７２に取り付けられる。
【産業上の利用可能性】
【００１１】
本願考案は、レザー製又は樹脂製時計バンド用のプッシュ式三折バックルに広く利用できるものである。
【図面の簡単な説明】
【００１２】
【図１】本願考案に係るプッシュ式三折バックルの分解斜視図。
【図２】先行技術を示す説明図。
【符号の説明】
【００１３】
２０  プッシュ式三折バックル
３０  上箱    ３１  プッシュ機構    ３２  軸部材
４０  バンド挿通パーツ    ４１  パーツ本体    ４２  垂下部    ４３  挿通空間    ４４  凸部  
５０  バンド固定パーツ    ５１  取付部    ５２    突起部    ５３  穿孔
５４  凹部
６０  中板    ６１  端部
７０  下板    ７１  係合突起    ７２  取付部
８０  剣先側バンド    ８１  止孔    ８２  バンド裏面  ８５  美錠側バンド
【図１】
0003145248.tif 000003
【図２】
0003145248.tif 000004